(57)【要約】      （修正有）【課題】スカーフとワンセットにして、その組み合わせにより、たくさんの服をもたなくてもいろいろなシーンにピッタリなスタイルを演出することができる特殊ブラウスを提供する。【解決手段】全体がバイアス仕立てからなる特殊ブラウスにおいて、（１）正方形の１枚の布を対角線を“わ”にして３角形になるようにして折り、この対角線の“わ”の部分が肩線とその延長線の袖山にあたるつづきの見頃のパターンをおいて裁断、（２）前記正方形の大きさはＳサイズ縦横各９２ｃｍ、Ｍサイズ縦横各９４ｃｍ、Ｌサイズ縦横各９８ｃｍ、（３）ブラウス全体が１枚つづき、（４）右見頃と左見頃、前見頃と後見頃がすべて対称形、以上の（１）〜（４）の構成からなる。【選択図】図３
0003194353.tif 000002
【実用新案登録請求の範囲】
【請求項１】
本考案の特殊ブラウスとは、ブラウス全体がバイヤスになるように設計されたブラウスのことである。今までのブラウスは見頃も袖も布地の縦地の目が中心にくるように設計されていた。ブラウス全体がバイヤスで作られることなど一斎なかった。ブラウス全体がバイヤスになっているのと、合繊プリントの織り方の性質があいまって、布地がのびる（縦地の目の場合はのびません）。縫製する時は衿ぐり、袖口、裾回りを始末し、身頃続きの袖下と身頃脇を縫えば出来上がる。本考案のブラウスを着用する時は、明け部分のループがけの１つボタンをはずして、頭からかぶって着用します。また、肩と袖、身頃とすべてがバイヤス裁ちになっているので、やわらかい女性らしいシルエットが特徴です。前後、左右すべて同形ですので、体にフィットしやすく、前後の区別なく着用できます。
【請求項２】
本考案のブラウスは，正方形の１枚の布を対角線を“わ”にして３角形になるようにして折り、この対角線の“わ”の部分が肩線とその延長線の袖山にあたるつづきの見頃のパターンをおき、ブラウス全体がバイヤスになるように裁断することを特徴としています．用尺の大きさはＳサイズは縦、横各９２ｃｍの正方形。Ｍサイズは縦、横各９４ｃｍの正方形。Ｌサイズは縦、横各９８ｃｍの正方形
【請求項３】
スカーフ付き、特殊ブラウスが一体となり、いろいろなスタイルをコラボレーション（強調，共働、共鳴）する、そのスタイル（着方）。スカーフの形状には、正方形、長方形，三角形、等の形状を使うこともできる。
【考案の詳細な説明】
【技術分野】
【０００１】  スカーフつき特殊ブラウスが一となり７通りのスタイルをコラボレーション（強調，共働、共鳴）する、そのスタイル（その組み合わせ，着方の表現）。
【背景技術】
【０００２】  女性の為の衣服のほとんどに使われていた合繊プリント、その合繊プリントの織幅は、長い間、９２ｃｍ（シングル幅）しかありませんでした。しかし近年、この織幅が、１０８ｃｍや、１１０ｃｍや、１１２ｃｍと色々な織幅の合繊プリントが生産されました。その結果デザインが多様になったり、パターンが入りやすくなったり、布地のロスが少なくなり安価でつくれる様になりました。
【考案の概要】
【考案が解決しようとする課題】
【０００５】  デパートでスカーフや婦人服を買うとすれば、婦人服は婦人服売り場で、スカーフはスカーフ売り場と、別別の売り場で販売されていました。それ自体が完全に独立した商品として販売されていました。なでならスカーフはスカーフ専門の会社が製造販売し、婦人服は婦人服専門の会社が製造販売していたからです。婦人服の縫製、はなん工程もあり丁寧に造られ熟練した職人の技能が求められた。婦人服それ自体の完成度がたかく、高級であり、高価であった。また婦人服（セーター、ブラウス）に調和させるためにスカーフを選ぶか、逆にスカーフに調和する婦人服を選ぶか、消費者にとって経済的にもアート的にも大変エネルギーがいりました。
【課題を解決するための手段】
【０００６】  婦人服とスカーフを別別に販売するのではなく，スカーフと特殊ブラウスをワンセットとして販売する。スカーフと特殊ブラウスがコラボする事によって、はじめて１つの完成商品になります。その為今までのブラウスの様に１通りしか着方がないという商品ではありません、スカーフ付き特殊ブラウスをワンセットとすることにより、あとはコラボしだいで３通りでも５通りでもいくらでもヴァリエーションをひろげることが出来ます。
【考案の効果】
【０００７】  上述の様に、本考案のスカーフつきブラウスは、スカーフと特殊ブラウスがコラボして７通りの組み合わせを表現するものである。今までのブラウスは１通りしか着方が出来ず、縫製も、衿、身頃、袖、カフス等パーツがとても多く、熟練した職人の技術が必要でした。しかしほん考案は、全てが続いた、１枚の製図ですので縫製がとても簡単です。今まで用尺が２ｍから３ｍ必要でしたが１ｍで出来るようになりました。
【図面の簡単な説明】
【０００８】
【図１】正方形の布
【図２】正方形の上に展開図をおいた図
【図３】正方形の対角線を“わ”にして三角形におった図。
【図４】裁断された布を展開ひろげたところ。
【図５】完成ブラウス、ネックはＴ字型。ループがけのボタンをかけたところブラウスの下は、三角スカーフ。
【図６】完成ブラウス、ループがけのボタンをはずしたところブラウスの下は、三角スカーフ。
【図７】完成ブラウス、ネックはボートネック。ブラウスの下は、三角スカーフ。
【考案を実施するための形態】
【０００９】  本考案のブラウスを着用すときは，明け部分のループがけの１つボタンをはずしして、頭からかぶって着用します。肩と袖、身頃が１枚続きで、全てがバイヤスになる様に設計されていますので、やわらかい女性らしいシルエットと、前後、左右、全てが同型になるので，前後の区別なく着用できる。このブラウスにスカーフを合わせる事により、スカーフを頭にかぶれば、ターバン風や，ヘアーアクセントになり、肩にはおれば、セーラー風や，ショール型になる。首にまけば、タートルネック型になる。また、腰にまけば、サッシュ（飾りおび）になり、リゾートなどでくつろいだ雰囲気を表現できます。
【実施例】
【００１０】以下，添付図面に従って実施例を説明する
（実施例図８）本考案のブラウスの上に、三角スカーフを肩にまとった図。
（実施例図９）本考案のブラウスの明きがフロントにくるように着用し、一つボタンのループをはずし、三角スカーフを頭にターバン風にまとった図。
（実施例図１０）本考案のブラウスの明きがフロントにくるように着用し、明き部分を内側に折り、三角スカーフをドレープ風に首にまいた図。
（実施例図１１）本考案のブラウスの明きがフロントにくるように着用し、明き部分を内側に折り、三角スカーフをセーラー風に仕上げた図。ウエストに三角スカーフをサッシュ（飾り帯）風にした図。
（実施例図１２）本考案のブラウスの明きがフロントにくるように着用し、三角スカーフを、タートル風に首にまいた図。
（実施例図１３）本考案のブラウスの明きがフロントにくるように着用し、明き部分を内側に折り、襟ぐりをＶネックにして、ウエストに三角スカーフをサッシュ（飾り帯）風にした図。
（実施例図１４）本考案のブラウスの明きを、バックにくる様に着用すると、襟ぐりは、ボートネックになります。ウエストに三角産業スカーフがヒザになるようにした図。
【実施例】
0003194353.tif 000003
0003194353.tif 000004
【産業上の利用可能性】
【００１１】  本考案のブラウスは、９２ｃｍ幅の時はＳサイズしか作成できませんでしたが，織幅が広くなったおかげで、Ｍサイズ、Ｌサイズ、ＬＬサイズなどの大きいサイズが作成できるようになり号数展開ができる為、商品として成り立つようになりました。
【符号の説明】  １  布地
２  対角線
３  展開図
４  襟ぐり
５  明き
６  袖口
７  ボタン
８  ループがけ
９  裁断布地
１０  スカーフ
１１  ブラウス本体
【図１】
0003194353.tif 000005
【図２】
0003194353.tif 000006
【図３】
0003194353.tif 000007
【図４】
0003194353.tif 000008
【図５】
0003194353.tif 000009
【図６】
0003194353.tif 000010
【図７】
0003194353.tif 000011
【手続補正書】
【提出日】平成26年5月29日(2014.5.29)
【手続補正１】
【補正対象書類名】実用新案登録請求の範囲
【補正対象項目名】全文
【補正方法】変更
【補正の内容】
【実用新案登録請求の範囲】
【請求項１】
本考案の特殊ブラウスにおいて。
▲１▼ブラウス全体がバイヤスになるように設計された１枚つづきを特徴とする特殊ブラウス。
▲２▼正方形の１枚の布を対角線を“わ”にして３角形になるようにして折り、この対角線の“わ”の部分が肩線とその延長線の袖山にあたるつづきの見頃のパターンをおき、ブラウス全体がバイヤスになるように裁断する。
▲３▼用尺の大きさはＳサイズは縦、横各９２ｃｍの正方形。Ｍサイズは縦、横各９４ｃｍの正方形。Ｌサイズは縦、横各９８ｃｍの正方形を用いることを特徴とする特殊ブラウス。
▲４▼右見頃と左見頃、前見頃と後見頃がすべて対称形になっていることを特徴とする特殊ブラウス。
▲５▼前見頃と後見頃が対称形になっており、しかも全体がバイヤスになっているので、前後どちらでも着れる。ことを特徴とする特殊ブラウス。
以上１から５の構成からなることを特徴とする特殊ブラウス。
【請求項２】
スカーフと組み合わせることにより全く違うスタイルを創造することが出来ることを特徴する請求項１記載の特殊ブラウス。
【手続補正書】
【提出日】平成26年9月2日(2014.9.2)
【手続補正１】
【補正対象書類名】実用新案登録請求の範囲
【補正対象項目名】全文
【補正方法】変更
【補正の内容】
【実用新案登録請求の範囲】
【請求項１】
全体がバイアス仕立てからなる特殊ブラウスにおいて、
（１）正方形の１枚の布を対角線を“わ”にして３角形になるようにして折り、この対角線の“わ”の部分が肩線とその延長線の袖山にあたるつづきの見頃のパターンをおいて裁断、
（２）前記正方形の大きさはＳサイズ縦横各９２ｃｍ、Ｍサイズ縦横各９４ｃｍ、Ｌサイズ縦横各９８ｃｍ、
（３）ブラウス全体が１枚つづき、
（４）右見頃と左見頃、前見頃と後見頃がすべて対称形、
以上の（１）〜（４）の構成からなることを特徴とする特殊ブラウス。